(57)【特許請求の範囲】
【請求項１】
複数の手書き文字からなる文字列の入力を受け付ける入力手段と、
前記文字列に含まれる各手書き文字を認識する文字認識手段と、
前記各手書き文字を構成する線分をベクトル化して各手書き文字の特徴点を検出するとともに、前記認識された文字に対応する基準フォントを構成する線分をベクトル化して該基準フォントの文字の特徴点を検出する特徴点検出手段と、
前記各手書き文字の特徴点および前記基準フォントの文字の特徴点を照合して、該基準フォントの文字を変形することにより、前記文字列に含まれる各手書き文字に前記基準フォントのデザインを反映させる変形手段とを備え、
前記文字列に含まれる各手書き文字が認識されなかった場合、前記特徴点検出手段は、前記各手書き文字を構成する線分をベクトル化する手段であり、
前記変形手段は、前記線分のベクトルに対して前記基準フォントの形状の特徴を反映させることにより、前記文字列に含まれる各手書き文字に前記基準フォントのデザインを反映させる手段であることを特徴とする文字出力装置。
【請求項２】
前記各手書き文字における軌跡のブレを除去するブレ除去手段をさらに備え、
前記文字認識手段および前記変形手段は、前記軌跡のブレが除去された各手書き文字の認識および前記特徴点の検出を行う手段であることを特徴とする請求項１記載の文字出力装置。
【請求項３】
前記手書き文字におけるユーザの癖の反映の程度の入力を受け付ける程度入力手段をさらに備え、
前記変形手段は、前記程度入力手段により入力されたユーザの癖の反映の程度に応じて、前記基準フォントの文字を変形する手段であることを特徴とする請求項１または２記載の文字出力装置。
【請求項４】
前記入力手段は、表示された画像への前記文字列の入力を受け付ける手段であり、
前記基準フォントのデザインが反映された手書き文字からなる文字列を前記画像に付与する文字付与手段をさらに備えたことを特徴とする請求項１から３のいずれか１項記載の文字出力装置。
【請求項５】
複数の手書き文字からなる文字列の入力を受け付け、
前記文字列に含まれる各手書き文字を認識し、
前記各手書き文字を構成する線分をベクトル化して各手書き文字の特徴点を検出するとともに、前記認識された文字に対応する基準フォントを構成する線分をベクトル化して該基準フォントの文字の特徴点を検出し、
前記各手書き文字の特徴点および前記基準フォントの文字の特徴点を照合して、該基準フォントの文字を変形することにより、前記文字列に含まれる各手書き文字に前記基準フォントのデザインを反映させるに際し、
前記文字列に含まれる各手書き文字が認識されなかった場合、前記各手書き文字を構成する線分をベクトル化し、
前記線分のベクトルに対して前記基準フォントの形状の特徴を反映させることにより、前記文字列に含まれる各手書き文字に前記基準フォントのデザインを反映させることを特徴とする文字出力方法。
【請求項６】
複数の手書き文字からなる文字列の入力を受け付ける手順と、
前記文字列に含まれる各手書き文字を認識する手順と、
前記各手書き文字を構成する線分をベクトル化して各手書き文字の特徴点を検出するとともに、前記認識された文字に対応する基準フォントを構成する線分をベクトル化して該基準フォントの文字の特徴点を検出する手順と、
前記各手書き文字の特徴点および前記基準フォントの文字の特徴点を照合して、該基準フォントの文字を変形することにより、前記文字列に含まれる各手書き文字に前記基準フォントのデザインを反映させる手順とを有し、
前記文字列に含まれる各手書き文字が認識されなかった場合、前記特徴点を検出する手順は、前記各手書き文字を構成する線分をベクトル化する手順であり、
前記デザインを反映させる手順は、前記線分のベクトルに対して前記基準フォントの形状の特徴を反映させることにより、前記文字列に含まれる各手書き文字に前記基準フォントのデザインを反映させる手順であることを特徴とする文字出力方法をコンピュータに実行させるためのプログラム。
【発明の詳細な説明】
【技術分野】
【０００１】
本発明は、ペンやマウス等を用いて入力された複数の手書き文字からなる文字列をプリントしたりモニタに表示可能に出力する文字出力装置および方法並びに文字出力方法をコンピュータに実行させるためのプログラムに関するものである。
【背景技術】
【０００２】
従来より、パソコンの画面等に表示された文字のドローエリアに、ペンやマウスを用いてフリーハンドでタイトルロゴ等の文字列を入力することが行われている。このように入力された文字は、そのまま画像として表示されたりプリント出力されたりするが、ペンやマウスを用いて文字を入力する場合、ペンやマウス等のデバイスと、文字を入力する面（例えばモニタの表面やマウスパッドの表面等）との接点における滑り具合により、鉛筆等の筆記用具を用いて紙に文字を書く場合のようにスムーズな直線や曲線を描くことは困難である。
【０００３】
このため、入力された文字の文字認識を行い、認識された文字に対応するフォントにより文字列を出力することが行われている。また、入力した手書き文字の特徴を反映するために、入力された手書き文字のイメージデータをベクトル化してベクトルデータを得、イメージデータの筆順や特徴を分析して文字コードを決定し、ベクトルデータおよび文字コードを文字フォントのフォーマットで定義された形式の文字フォントデータとして登録しておくことにより、入力された手書き文字の特徴を反映しつつ、文字を出力する手法が提案されている（特許文献１参照）。
【０００４】
また、あらかじめユーザが入力した手書き文字の特徴を解析し、特徴を標準フォントに反映させてユーザに固有の手書きフォントを作成しておくことにより、ペンやマウスを用いて文字を入力しなくても、ユーザの個性を反映させた文字列を出力できるようにした手法も提案されている（特許文献２参照）。
【特許文献１】特開２０００−１４８１２３号公報
【特許文献１】特開２０００−３３０５４５号公報
【発明の開示】
【発明が解決しようとする課題】
【０００５】
しかしながら、上記特許文献１，２に記載された手法は、あらかじめユーザ毎に手書きフォントを登録しておく必要があるため、手書きフォントを登録していないユーザは、手書きフォントを反映した文字列を利用することができない。また、文字列を手書き入力した際に、特定の文字を大きくしたり、回転させたり、文字の間隔を変更したりして文字列をレイアウトした場合であっても、出力される文字にユーザが入力した際の文字のレイアウトを反映することができないため、画一的なレイアウトの文字列しか出力できない。このため、出力される文字列をパソコンの画面に表示して文字の変形等のレイアウトを行うことが考えれるが、その作業は非常に煩雑である。
【０００６】
本発明は上記事情に鑑みなされたものであり、ペンやマウス等を用いて入力された手書き文字を、入力時のユーザの癖やレイアウトを維持しつつ簡易に出力することを目的とする。
【課題を解決するための手段】
【０００７】
本発明による文字出力装置は、複数の手書き文字からなる文字列の入力を受け付ける入力手段と、
前記文字列に含まれる手書き文字のそれぞれに、基準フォントのデザインを反映させるデザイン反映手段とを備えたことを特徴とするものである。
【０００８】
「基準フォント」とは、所定のデザインを有するいわゆるゴシック、明朝、勘亭流等のフォントの他、様々な模様を並べて文字を表すようにしたフォントをも含むものである。
【０００９】
なお、本発明による文字出力装置においては、前記デザイン反映手段を、前記文字列に含まれる各手書き文字を認識する文字認識手段と、
前記各手書き文字を構成する線分をベクトル化して各手書き文字の特徴点を検出するとともに、前記認識された文字に対応する基準フォントを構成する線分をベクトル化して該基準フォントの文字の特徴点を検出する特徴点検出手段と、
前記各手書き文字の特徴点および前記基準フォントの文字の特徴点を照合して、該基準フォントの文字を変形することにより、前記文字列に含まれる各手書き文字に前記基準フォントのデザインを反映させる変形手段とを備えるものとしてもよい。
【００１０】
この場合、前記デザイン反映手段を、前記各手書き文字における軌跡のブレを除去するブレ除去手段をさらに備えるものとし、
前記文字認識手段および前記変形手段を、前記軌跡のブレが除去された各手書き文字の認識および前記特徴点の検出を行う手段としてもよい。
【００１１】
またこの場合、前記手書き文字におけるユーザの癖の反映の程度の入力を受け付ける程度入力手段をさらに備えるものとし、
前記変形手段を、前記程度入力手段により入力されたユーザの癖の反映の程度に応じて、前記基準フォントの文字を変形する手段としてもよい。
【００１２】
また、本発明による文字出力装置においては、前記入力手段を、表示された画像への前記文字列の入力を受け付ける手段とし、
前記基準フォントのデザインが反映された手書き文字からなる文字列を前記画像に付与する文字付与手段をさらに備えるようにしてもよい。
【００１３】
本発明による文字出力方法は、複数の手書き文字からなる文字列の入力を受け付け、
前記文字列に含まれる手書き文字のそれぞれに、基準フォントのデザインを反映させることを特徴とするものである。
【００１４】
なお、本発明による文字出力方法をコンピュータに実行させるためのプログラムとして提供してもよい。
【発明の効果】
【００１５】
本発明によれば、複数の手書き文字からなる文字列の入力が受け付けられ、文字列に含まれる各手書き文字に、基準フォントのデザインが反映される。このため、文字列に含まれる手書き文字に表されるユーザの癖、並びに手書き文字の位置、大きさおよび間隔等のレイアウトはそのままに、手書き文字に基準フォントのデザインを反映させることができ、これにより、手書き文字のレイアウトおよびユーザの癖をそのまま生かした文字を出力することができる。
【００１６】
また、文字列に含まれる各手書き文字を認識し、各手書き文字を構成する線分をベクトル化して各手書き文字の特徴点を検出するとともに、認識された文字に対応する基準フォントを構成する線分をベクトル化して基準フォントの文字の特徴点を検出し、各手書き文字の特徴点および基準フォントの文字の特徴点を照合して、基準フォントの文字を変形することにより、基準フォントのデザインを手書き文字に容易に反映させることができる。
【００１７】
また、各手書き文字における軌跡のブレを除去し、軌跡のブレが除去された各手書き文字の認識および特徴点の検出を行うことにより、手書き文字を構成する線分や曲線をスムーズにすることができるため、手書き文字の認識および特徴点の検出を精度よく行うことができる。
【００１８】
また、手書き文字におけるユーザの癖の反映の程度の入力を受け付け、入力された反映の程度に応じて基準フォントの文字を変形することにより、ユーザの癖をユーザが所望とするように手書き文字に反映させることができる。
【発明を実施するための最良の形態】
【００１９】
以下、図面を参照して本発明の実施形態について説明する。図１は本発明の実施形態による文字出力装置を適用したプリント受付装置の外観図である。図１に示すように本実施形態によるプリント受付装置１は、画像のプリント出力やＣＤへの書き込みの注文（以下プリント注文とする）のための各種表示を行うとともに、各種入力を受け付けるタッチパネル式のモニタ２と、各種メディアおよび画像が記録されたメディアを内包するデジタルカメラを装填するための複数のスロットからなるスロット群３と、モニタ２に表示された画像に文字を入力するためのペン４とを備え、画像をプリント出力するプリンタ５および画像をＣＤに書き込むＣＤドライブ６と接続されている。
【００２０】
図２は本実施形態によるプリント受付装置１の信号処理系のブロック図である。図２に示すように、本実施形態によるプリント受付装置１は、プリント受付装置１の動作を制御するためのＣＰＵ１１と、ＣＰＵ１１が実行するプログラムを格納するＲＯＭおよび作業領域となるＲＡＭからなるシステムメモリ１２と、後述するようにメディアから読み出した画像および文字入力の際に使用する基準フォントを保存するハードディスク等の保存部１３とを備える。
【００２１】
また、上述したモニタ２と、モニタ２を介しての各種入力を行うためのタッチパネル１４と、タッチパネル１４を制御するタッチパネル制御部１５と、スロット群３のそれぞれに対応したインターフェース１６と、プリンタ５およびＣＤドライブ６を接続するためのコネクタ１７と、コネクタ１７に接続した出力インターフェース１８と、ペン４に接続した入力インターフェース１９と、メディア等から読み出した画像に対して、階調処理、シャープネス処理等の画像処理を施す画像処理部２０とを備える。
【００２２】
また、後述するようにモニタ２に入力された文字に基準フォントの特徴を反映させるデザイン反映部２１を備える。
【００２３】
デザイン反映部２１は、入力された文字列に含まれる各手書き文字の軌跡のブレを除去するブレ除去部３０と、ブレが除去された各手書き文字を認識する文字認識部３１と、ブレが除去された各手書き文字を構成する線分をベクトル化して各手書き文字の特徴点を検出するとともに、認識された文字に対応する基準フォントを構成する線分をベクトル化して基準フォントの文字の特徴点を検出する特徴点検出部３２と、手書き文字の特徴点および基準フォントの文字の特徴点を照合して基準フォントの文字を変形することにより、文字列に含まれる各手書き文字に基準フォントのデザインを反映させる変形部３３とを備える。
【００２４】
本実施形態によるプリント受付装置１によれば、ユーザがスロット群３のいずれかのスロットに自身のメディアを装填してプリント注文の指示を行うことにより、ＣＰＵ１１がプリント注文のプログラムを実行し、モニタ２にプリント注文を行うための各種表示を行う。具体的にはメディアに記録された画像のサムネイル画像の一覧をモニタ２に表示し、ユーザによるプリントするまたはＣＤに書き込む画像の選択を受け付ける。ユーザは表示に応じてモニタ２のタッチパネル１４を操作することにより、自身のメディアに記録された画像のプリント注文を行うことができる。具体的にはプリントするまたはＣＤに書き込む画像を選択し、プリントの場合はプリント枚数およびプリントサイズを指定することにより、プリント注文を行う。
【００２５】
ここで、本実施形態においては、プリント注文する画像をモニタ２に表示し、ユーザがペン４を用いてモニタ２に文字を入力することにより、画像に手書き文字を付与して出力することができるものである。以下、画像に手書き文字を付与する際に行われる文字付与処理について説明する。なお、文字付与処理はＣＰＵ１１およびデザイン反映部２１が実行するものである。また、文字付与処理においては、ＣＰＵ１１が文字付与手段として機能する。
【００２６】
図３はプリント注文を行う画像を選択した後に表示される注文画面を示す図である。図３に示すように注文画面４０には、プリントすべく選択された画像のサムネイル画像の一覧を表示する一覧表示エリア４０Ａ、および文字入力の指示を行う文字入力ボタン４０Ｂが表示されている。そして、ユーザがタッチパネル１４を用いて一覧表示エリア４０Ａに表示されたサムネイル画像から文字を入力するサムネイル画像を選択し、その後文字入力ボタン４０Ｂにタッチすることにより、文字付与の処理が実行される。
【００２７】
図４は文字付与の処理を示すフローチャート、図５は文字付与処理における文字の変形を説明するための図である。ユーザが文字入力ボタン４０ＢにタッチすることによりＣＰＵ１１が処理を開始し、ユーザが選択した画像の拡大画像を含む文字入力画面をモニタ２に表示する（ステップＳＴ１）。図６は文字入力画面を示す図である。図６に示すように文字入力画面４１には、ユーザが選択した画像を表示する画像エリア４１Ａ、文字変形の指示を行うための変形ボタン４１Ｂ、および入力した文字に特徴を反映するフォントを選択するためのフォント選択ボタン群４１Ｃが表示されている。なお、ここではフォント選択ボタン群４１Ｃには、ゴシック、明朝および勘亭流が基準フォントとして含まれている。
【００２８】
ユーザは画像エリア４１Ａに表示された画像の所望とする位置にペン４を用いて手書きにより文字列を入力することができる。なお、ここでは、図６に示すようなレイアウトにより「ありがとう！」の文字列が入力されたものとする。また、変形ボタン４１Ｂにタッチすることにより文字列の変形を実行させることができる。また、フォント選択ボタン群４１Ｃから所望とする基準フォントのボタンにタッチすることにより、入力した手書き文字に特徴を反映させる基準フォントを選択することができる。
【００２９】
そして、ＣＰＵ１１がユーザが基準フォントを選択した後に変形ボタン４１Ｂにタッチしたか否かの監視を開始し（ステップＳＴ２）、ステップＳＴ２が肯定されると、ブレ除去部３０が入力された文字列に含まれる各手書き文字の軌跡のブレを除去する（ステップＳＴ３）。図７は軌跡のブレの除去を説明するための図である。ここでは、「あ」の文字の軌跡のブレの除去について説明する。ペン４を用いてモニタ２に文字を入力する場合、ペン４とモニタ２の表面との接点における滑り具合により、鉛筆等の筆記用具を用いて紙に文字を書く場合のようにスムーズな直線や曲線を描くことができないため、図７（ａ）に示すように、文字を構成する線分に細かなブレが生じる。このため、ブレ除去部３０は文字に含まれる細かなブレの成分を除去して、図７（ｂ）に示すように入力された手書き文字を滑らかな手書き文字に修正する。
【００３０】
ブレ除去部３０が手書き文字の軌跡のブレを除去すると、文字認識部３１が文字列を構成する各手書き文字を認識し（ステップＳＴ４）、認識した文字に対応する基準フォントを保存部１３から読み出す（ステップＳＴ５）。
【００３１】
さらに、特徴点検出部３２が各手書き文字の特徴点および読み出された基準フォントの特徴点を検出する（ステップＳＴ６）。具体的には、まず各手書き文字については、手書き文字を構成する線分をベクトル化し、一文字の範囲、文字を矩形により囲んだ際の矩形との接点、文字を構成する線の交点、開始点、終了点、濁点、および半濁点等を特徴点として検出する。一方、基準フォントについては、文字を構成する線分をベクトル化し、文字を矩形により囲んだ際の矩形との接点、文字を構成する線の交点、開始点、終了点、濁点、および半濁点等を特徴点として検出する。検出した特徴点を図５のステップＳＴ６の部分に示す。
【００３２】
そして、変形部３３が手書き文字から検出した特徴点と基準フォントから検出した特徴点とを照合し、基準フォントから検出した特徴点が手書き文字から検出した特徴点と一致するように基準フォントを変形して、基準フォントのデザインを手書き文字に反映させる（ステップＳＴ７）。すなわち、図５に示すように、手書き文字から検出した１１の特徴点Ｐ１〜Ｐ１１の位置に、基準フォントから検出した１１の特徴点Ｐ１′〜Ｐ１１′の位置を一致させるように基準フォントを変形する。この場合、手書き文字が回転していれば基準フォントも回転され、文字列を構成する各手書き文字のサイズとなるように基準フォントが拡大縮小される。これにより、ユーザが選択した基準フォントがゴシックであれば、手書き文字はユーザの癖およびレイアウトを維持したままゴシック調に変更される。
【００３３】
そして、ＣＰＵ１１は入力された文字列に含まれる手書き文字を、基準フォントのデザインが反映された手書き文字と置換し（ステップＳＴ８）、さらに置換した文字を画像に付与して（ステップＳＴ９）、処理を終了する。図８は基準フォントのデザインが反映された手書き文字が付与された画像を示す図である。図８に示すように、ユーザが入力した手書き文字は、基準フォントのデザインを反映した手書き文字に置換されるのみであるため、ユーザが文字列を入力した際のユーザの癖、および文字列のレイアウトは変更されないこととなる。
【００３４】
なお、文字が付与された画像は、画像処理部２０において画像処理が施されて、ユーザの注文に応じてプリンタ６においてプリント出力されるか、またはＣＤドライブ５においてＣＤに書き込まれる。
【００３５】
このように、本実施形態によれば、ユーザが入力した文字列に含まれる各手書き文字に、基準フォントのデザインを反映するようにしたため、文字列に含まれる手書き文字に表されるユーザの癖、並びに手書き文字の位置、大きさおよび間隔等のレイアウトはそのままに、手書き文字に基準フォントのデザインを反映させることができ、これにより、入力したレイアウトをそのまま生かした文字を画像に付与することができる。
【００３６】
また、文字列に含まれる各手書き文字を認識し、各手書き文字を構成する線分をベクトル化して各手書き文字の特徴点を検出するとともに、認識された文字に対応する基準フォントを構成する線分をベクトル化して基準フォントの文字の特徴点を検出し、各手書き文字の特徴点および基準フォントの文字の特徴点を照合して、基準フォントの文字を変形することにより、基準フォントのデザインを手書き文字に容易に反映させることができる。
【００３７】
また、各手書き文字における軌跡のブレを除去し、軌跡のブレが除去された各手書き文字の認識および特徴点の検出を行うことにより、手書き文字を構成する線分や曲線をスムーズにすることができるため、手書き文字の認識および特徴点の検出を精度よく行うことができる。
【００３８】
なお、上記実施形態においては、手書き文字に基準フォントのデザインを反映させているのみであるため、画像に付与される文字は、ユーザの手書き文字の癖を１００％反映したものとなっている。すなわち、ユーザが文字を入力したときに現れる癖がそのまま基準フォントのデザインにて表現される。このように、本実施形態においては、ユーザの手書き文字の癖を１００％反映させることができる一方で、ユーザの手書き文字の癖を反映させる程度をユーザ自身で変更したい場合がある。
【００３９】
このため、図６に示す文字入力画面に、図９に示すように、ユーザの癖の反映の程度を設定するための設定バー４１Ｄを表示し、設定バー４１Ｄにより、ユーザの癖を反映させる程度を変更できるようにしてもよい。
【００４０】
設定バー４１Ｄは黒色の領域をタッチして左右に移動することにより、０〜１００％の範囲の間においてユーザの癖を反映する程度を百分率により設定することができるものである。ここで、０％を設定するとユーザが入力した手書き文字の癖が全く反映されなくなり、ユーザが入力した手書き文字は基準フォントに置き換えられる。そして数値を０％から大きくすることにより、ユーザの手書き文字の癖がより多く反映され、１００％を選択すると、ユーザが入力した手書き文字に基準フォントのデザインのみが反映されることとなる。このため、設定バー４１Ｄを用いることにより、ユーザは０〜１００％の間でユーザの手書き文字の癖をどの程度反映させるかを選択することができる。
【００４１】
また、上記実施形態においては、ユーザが略字で文字列を入力したような場合、手書き文字が文字として認識できない場合がある。このような場合には、手書き文字を構成する線分をベクトル化し、線分のベクトルに対して基準フォントのデザインの特徴（すなわち、縦線、横線の太さ、入り、止め、払い等の形状の特徴）を反映させることにより、手書き文字に基準フォントのデザインを反映させることができる。
【００４２】
また、上記実施形態においては、文字列に含まれる手書き文字を認識しているが、あらかじめ基準フォントの特徴的なデザインをパーツとしてデータベース等に用意しておき、各手書き文字を構成する線分をベクトル化し、線分のベクトルに対してパーツを適用することにより、基準フォントのデザインを手書き文字に反映させることも可能である。これにより、手書き文字の認識が不要となるため、処理を高速に行うことができる。
【００４３】
また、手書き文字が複雑な漢字（例えば「檸檬」）であるような場合、手書き文字に基準フォントのデザインをそのまま反映すると、文字を構成する線分が太くなって文字がつぶれてしまうような場合がある。このため、手書き文字の種類に応じて、文字を構成する線分の状態を細くする等の制御を行うようにしてもよい。
【００４４】
また、上記実施形態においては、基準フォントとしてゴシック、明朝および勘亭流を用いているが、行書体やポップ調等の各種フォントを基準フォントとして用いることができる。また、様々な模様を並べて文字を表すようにしたフォントを基準フォントとして用いることができる。例えば、図１０に示すように☆印を並べることにより文字を表すフォントを基準フォントとして用いることができる。
【００４５】
以上、本発明の実施形態に係る装置１について説明したが、コンピュータを、上記のブレ除去部３０、文字認識部３１、特徴点検出部３２および変形部３３に対応する手段として機能させ、図４に示すような処理を行わせるプログラムも、本発明の実施形態の１つである。また、そのようなプログラムを記録したコンピュータ読み取り可能な記録媒体も、本発明の実施形態の１つである。
【図面の簡単な説明】
【００４６】
【図１】本発明の実施形態による文字出力装置を適用したプリント受付装置の外観図
【図２】本実施形態によるプリント受付装置の信号処理系のブロック図
【図３】プリント注文を行う画像を選択した後に表示される注文画面を示す図
【図４】文字付与の処理を示すフローチャート
【図５】文字付与処理における文字の変形を説明するための図
【図６】文字入力画面を示す図
【図７】軌跡のブレの除去を説明するための図
【図８】基準フォントのデザインが反映された手書き文字が付与された画像を示す図
【図９】文字入力画面のさらに他の例を示す図
【図１０】☆印を並べることにより文字を表すフォントを示す図
【符号の説明】
【００４７】
１    プリント受付装置
２    モニタ
３    スロット
４    ペン
５    プリンタ
６    ＣＤドライブ
１１    ＣＰＵ
１４    タッチパネル
２１    デザイン反映部
３０    ブレ除去部
３１    文字認識部
３２    特徴点検出部
３３    変形部
４０    注文画面
４１    文字入力画面
【図１】
0004823606.tif 000002
【図２】
0004823606.tif 000003
【図３】
0004823606.tif 000004
【図４】
0004823606.tif 000005
【図５】
0004823606.tif 000006
【図６】
0004823606.tif 000007
【図７】
0004823606.tif 000008
【図８】
0004823606.tif 000009
【図９】
0004823606.tif 000010
【図１０】
0004823606.tif 000011